(57)【要約】【課題】ランダムアクセス可能な記憶媒体に記憶された動画像中の途中部分の削除要求があったとき、削除要求されたデータを実質的に削除すると共に、削除要求のあった部分についてフレーム単位の精度で再生対象から除外する。【解決手段】動画像ストリームデータの途中を削除する要求があったとき、削除開始位置直後のＧＯＰから、削除終了位置の直前のＧＯＰまでを削除する。そして、削除開始位置で指定されたＧＯＰ中の削除開始以降のフレーム、並びに、削除終了位置で指定されたＧＯＰ中の削除終了位置以前のフレームについては再生対象外とするプレイリストを作成する。【選択図】  図１
2005033383.tif 000002
【特許請求の範囲】
【請求項１】
ディスク媒体上に動画データと、該動画データの関連ファイル群とを持つ動画像編集装置であって、
該動画データを実編集する手段と、
実編集後の該動画データにおける実際の再生範囲を指定する手段と、
該関連ファイル群を更新する手段とを備えることを特徴とする動画像編集装置。
【請求項２】
前記動画データはＭＰＥＧ２プログラムストリームであることを特徴とする請求項１に記載の動画像編集装置。
【請求項３】
前記実編集は、動画データ自体は変更せずに、ファイルシステムのみを更新することを特徴とする請求項１に記載の動画像編集装置。
【請求項４】
前記再生範囲の指定は、再生位置をフレーム単位で指定できるプレイリスト情報を用いることを特徴とする請求項１に記載の動画像編集装置。
【請求項５】
前記関連ファイル群は、動画管理ファイル、サムネイルファイル、メタデータファイル、タイムマップ情報ファイル、プレイリストファイルから構成されることを特徴とする請求項１に記載の動画像編集装置。
【請求項６】
前記関連ファイル群は、動画管理ファイル、サムネイルファイル、メタデータファイルから構成され、タイムマップ情報およびプレイリスト情報は該動画管理ファイルに含まれることを特徴とする請求項１に記載の動画像編集装置。
【請求項７】
前記動画データ記録再生装置は、ディスクカムコーダであることを特徴とする請求項１に記載の動画像編集装置。
【請求項８】
ディスク媒体上に動画データと、該動画データの関連ファイル群とを持つ動画像編集装置の制御方法であって、
該動画データを実編集する工程と、
実編集後の該動画データにおける実際の再生範囲を指定する工程と、
該関連ファイル群を更新する工程とを備えることを特徴とする動画像編集装置の制御方法。
【請求項９】
ランダムアクセス可能な記憶媒体に記憶されたＭＰＥＧ−２プログラムストリーム形態の動画像データを編集する動画像編集装置であって、前記動画像データ中において、削除開始位置と削除終了位置の編集指示入力を検出する検出手段と、
該検出手段で編集指示入力を検出した場合、前記削除開始位置を含むＧＯＰの直後のＧＯＰから、前記削除終了位置を含むＧＯＰの直前のＧＯＰまでのデータを、前記記憶媒体のファイル管理情報を更新することで削除する削除手段と、
前記検出手段で編集指示入力を検出した場合、前記削除開始位置を含むＧＯＰ中における当該削除開始位置以降のフレーム、並びに、前記削除終了位置を含むＧＯＰ中における当該削除終了位置以前のフレームを再生対象から除外するプレイリストを前記記憶媒体上に作成するプレイリスト作成手段とを備えることを特徴とする動画像編集装置。
【請求項１０】
更に、前記削除開始位置及び削除終了位置の間に関連して存在したファイルを、前記ファイル管理情報を更新することで削除する第２の削除手段を備えることを特徴とする請求項９に記載の動画像編集装置。
【請求項１１】
ランダムアクセス可能な記憶媒体に記憶されたＭＰＥＧ−２プログラムストリーム形態の動画像データを編集する動画像編集装置の制御方法であって、
前記動画像データ中において、削除開始位置と削除終了位置の編集指示入力を検出する検出工程と、
該検出工程で編集指示入力を検出した場合、前記削除開始位置を含むＧＯＰの直後のＧＯＰから、前記削除終了位置を含むＧＯＰの直前のＧＯＰまでのデータを、前記記憶媒体のファイル管理情報を更新することで削除する削除工程と、
前記検出工程で編集指示入力を検出した場合、前記削除開始位置を含むＧＯＰ中における当該削除開始位置以降のフレーム、並びに、前記削除終了位置を含むＧＯＰ中における当該削除終了位置以前のフレームを再生対象から除外するプレイリストを前記記憶媒体上に作成するプレイリスト作成工程とを備えることを特徴とする動画像編集装置の制御方法。
【請求項１２】
コンピュータが読み込み実行することで、ランダムアクセス可能な記憶媒体に記憶されたＭＰＥＧ−２プログラムストリーム形態の動画像データを編集する動画像編集装置として機能するコンピュータプログラムであって、
前記動画像データ中において、削除開始位置と削除終了位置の編集指示入力を検出する検出手段と、
該検出手段で編集指示入力を検出した場合、前記削除開始位置を含むＧＯＰの直後のＧＯＰから、前記削除終了位置を含むＧＯＰの直前のＧＯＰまでのデータを、前記記憶媒体のファイル管理情報を更新することで削除する削除手段と、
前記検出手段で編集指示入力を検出した場合、前記削除開始位置を含むＧＯＰ中における当該削除開始位置以降のフレーム、並びに、前記削除終了位置を含むＧＯＰ中における当該削除終了位置以前のフレームを再生対象から除外するプレイリストを前記記憶媒体上に作成するプレイリスト作成手段として機能することを特徴とするコンピュータプログラム。
【請求項１３】
請求項１２に記載のコンピュータプログラムを格納することを特徴とするコンピュータ可読記憶媒体。
【発明の詳細な説明】
【０００１】
【発明の属する技術分野】
本発明は、ディジタル動画音声圧縮技術規格（  Ｍｏｖｉｎｇ  Ｐｉｃｔｕｒｅ  Ｅｘｐｅｒｔｓ  Ｇｒｏｕｐ：以下ＭＰＥＧと言う  ）を用いて、符号化ディジタル動画像データとディジタル音声データを時分割多重化したＭＰＥＧ−２ストリームデータの編集技術に関するものである。
【０００２】
【従来の技術】
ディスクカムコーダ等の動画データ記録再生装置を用いて、ディスク媒体上に記録された動画データを編集するには、通常は動画データのファイル単位の削除か、プレイリストによる仮想編集（非破壊編集）が一般的である。また、ファイルの実編集（破壊編集）を行う場合でも、動画データがＭＰＥＧ−２フォーマットの場合はＧＯＰ（Ｇｒｏｕｐ  Ｏｆ  Ｐｉｃｔｕｒｅｓ）と呼ばれる記録単位でしか編集できず、もしフレーム単位の編集を行う場合は、動画データをＰＣや編集機にコピーして、再エンコードを行い、ディスクに書き戻すという作業が必要となる（特許文献１、特許文献２）。
【０００３】
【特許文献１】
特開平０８−０７０４２２号公報
【特許文献２】
特開平１１−３１３２８８号公報
【０００４】
【発明が解決しようとする課題】
しかしながら、ユーザーが録画停止ボタンを押し忘れた場合など、往々にして撮影記録したデータ中に不要な部分が存在することがある。プレイリストを利用すれば、見かけ上、不要部分が再生しないようにすることができるが、その情報が記憶媒体上に存在することに変わりはない。また、不要部分のみを削除することは先に説明したようにできないのが現状である。また、実編集もＧＯＰ単位では、ユーザーが指定した位置からずれた位置で削除等の編集が行われ、再生時にユーザーの意図したものとは異なる結果となる。さらに、再エンコードによりフレーム単位の実編集を行った場合は、画質が劣化するという欠点もある。
【０００５】
本発明は上記問題に鑑みてなされたものであり、ランダムアクセス可能な記憶媒体上の動画データと、該動画データの関連ファイル群とを持つ動画データ記録再生装置において、フレーム単位の実編集を行う場合に、実編集では動画データ自体は変更せずに、ファイルシステムを更新するのみでＧＯＰ単位の編集を行い、再生はユーザーが指定した範囲をフレーム単位でプレイリスト情報により再生する技術を提供する。また、動画データの関連ファイルである、動画管理ファイル、サムネイルファイル、メタデータファイル、タイムマップ情報ファイルといった関連ファイル群も更新する。これにより、再エンコードを行うことなく、ファイルシステムの更新とプレイリストを作成するだけで、フレーム単位の実編集が可能にする。
【０００６】
【課題を解決するための手段】
この課題を解決するため、本発明の映像・音声信号編集装置は以下の構成を備える。すなわち、
ディスク媒体上に動画データと、該動画データの関連ファイル群とを持つ動画像編集装置であって、
該動画データを実編集する手段と、
実編集後の該動画データにおける実際の再生範囲を指定する手段と、
該関連ファイル群を更新する手段とを備える。
【０００７】
より具体的には、ランダムアクセス可能な記憶媒体に記憶されたＭＰＥＧ−２プログラムストリーム形態の動画像データを編集する動画像編集装置であって、前記動画像データ中において、削除開始位置と削除終了位置の編集指示入力を検出する検出手段と、
該検出手段で編集指示入力を検出した場合、前記削除開始位置を含むＧＯＰの直後のＧＯＰから、前記削除終了位置を含むＧＯＰの直前のＧＯＰまでのデータを、前記記憶媒体のファイル管理情報を更新することで削除する削除手段と、
前記検出手段で編集指示入力を検出した場合、前記削除開始位置を含むＧＯＰ中における当該削除開始位置以降のフレーム、並びに、前記削除終了位置を含むＧＯＰ中における当該削除終了位置以前のフレームを再生対象から除外するプレイリストを前記記憶媒体上に作成するプレイリスト作成手段とを備える。
【０００８】
【発明の実施の形態】
以下、添付図面に従って本発明に係る実施形態を説明する。
【０００９】
図１４は実施形態が適用する映像・音声信号編集装置としてのデジタルビデオカメラのブロック構成図である。同図において、１０１は装置全体の制御を司るＣＰＵ、１０２２はＣＰＵ１の制御処理プログラムを記憶しているＲＯＭ、１０３はＣＰＵ１０１のワークエリアとして使用するＲＡＭである。１０４はランダムアクセス可能な記憶媒体である、書き込み可能な光ディスク１０５（例えばＤＶＤ−ＲＡＭ、−Ｒ／−ＲＷ、＋Ｒ／ＲＷ等）に対して読み書きするディスクコントローラである。
【００１０】
１０６は外部インタフェースであって、光ディスク１０５に記憶された映像データを出力するためのＡＶ端子、及び、ＡＶ入力端子、並びに、パーソナルコンピュータ等の外部装置とデジタルデータのまま通信するためのＩＥＥＥ１３９４インタフェースで構成される。１０７は光学部であって、１０８は撮像素子であるＣＣＤ、１０９は光学部１０７のフォーカシングやズーム、絞り等を制御するドライバである。１１０はＭＰＥＧ−２の圧縮符号化及び復号処理を行うＭＰＥＧ符号・復号部であり、１１１は各種操作スイッチやボタン、ダイヤル等で構成される操作部である。１１２は撮像画像を表示したり、各種メニュー等を表示する表示部である。
【００１１】
上記構成において、操作部１１２において録画スイッチをＯＮにすると、ＣＣＤ１０８で撮像された画像がＭＰＥＧ符号・復号部１１０でＭＰＥＧ−２符号化を行ない、その符号化ストリームがディスクコントローラ１０４を介して光ディスク１０５に書き込まれることになる。なお、既に書き込まれた画像を再生する際には、ディスクコントローラ１０４を介して指示されたＭＰＥＧ−２ストリームを読出し、ＭＰＥＧ符号・復号部１１０で復号処理を行ない、その結果を表示部１１２に表示することも、編集することも可能である。
【００１２】
以下、実施形態におけるＭＰＥＧ−２ストリームの部分削除について説明するが、編集対象のＭＰＥＧ−２ストリームは既に光ディスク１０５に書き込まれているものとする（撮影保存や、外部ＡＶ端子で入力したＡＶ信号の記録保存等）。また、部分削除処理であれば対象ＭＰＥＧストリームを指定し、尚且つ、ストリームの削除開始位置と削除終了位置を指定することが必要になる。その際の指定方法は、例えば、再生中に、所望とするタイミングで編集位置の開始位置と終了位置をそれぞれ操作部１１２で指定することで、その編集区間を決定するものとする。ただし、この設定方法によって本願発明が限定されるものではないことを付言しておく。
【００１３】
図５は本実施形態の如く、ディスクカムコーダ等の動画データ記録再生にかかる光ディスク１０５の記憶媒体とディスクコントローラ１０４周辺の構成概念図である。
【００１４】
図中、１はアプリケーションプログラムで、ディスク媒体上へのファイルの記録再生や編集等をファイルシステムドライバ２に指示する。ファイルシステムドライバ２は、ディスク上の空き領域やファイルの記録位置を調べて、ディスクコントローラ１０４にディスク１０５に対するデータ読み書きの指示を与える。このとき、アプリケーションプログラム１はデータのディスク上の位置は気にする必要はなく、ファイルシステムドライバ２がディスク上の空き領域を探して記録したり、データのディスク上の位置を検索して読み出したりする。ディスクコントローラ１０４はディスク１０５上へ実際にデータを書き込んだり読み込んだりする。５はディスク１０５上に書き込まれた実際のデータであり、６の記録再生ヘッドにより読み書きが行われる。
【００１５】
図６は本実施形態におけるディレクトリ構造で、一つの動画データに対して一つのディレクトリが割り当てられる。Ｍｏｖｉｅディレクトリの下に、Ｍｏｖ＋数字５桁の名前で示される個別動画ディレクトリがあり、その中に動画ファイル本体（．ｍｐｇ）、動画管理ファイル（．ｉｎｆ）、サムネイルファイル（．ｔｈｍ）、メタデータファイル（．ｍｐ７）、タイムマップ情報ファイル（．ｔｂｌ）、プレイリストファイル（．ｐｌｆ）等が含まれている（ピリオドの後の文字はそれぞれのファイルの種類を示す拡張子）。このとき、サムネイルファイル以外は、個別動画ディレクトリ名に拡張子を付けたものとなる。サムネイルファイルは一つの動画ファイルに対して複数個作成でき、ファイル名の下２桁の数字が変化する。取り出されたサムネイルがストリームのどの部分を指すかという情報は、後述するように動画管理ファイルの中に記述される。個別動画ディレクトリを追加する場合は、ディレクトリ名の上３桁の数字が変化する。もしディレクトリ名の数字が足りなくなったら、個別動画ディレクトリ名先頭のアルファベット３文字を変えればよい。なお、上記はその一例であって、上記ファイル名の付け方によって本発明が限定されるものではない。
【００１６】
図７は本実施形態における動画データの構造で、ＭＰＥＧ−２  ＰＳフォーマットで圧縮符号化されている。ＭＰＥＧ２  ＰＳファイルはＧＯＰ（Ｇｒｏｕｐ  Ｏｆ  Ｐｉｃｔｕｒｅｓ）と呼ばれる単位で構成され、本実施形態においては１ＧＯＰが０．５秒（１５フレーム）である。さらにＧＯＰはＶｉｄｅｏとＡｕｄｉｏを混在させたＰａｃｋと呼ばれる単位で構成され、本実施形態においては１Ｐａｃｋが２０４８バイトである。また、本実施形態におけるファイルシステムは、説明を簡単なものとするため、セクタサイズが２０４８バイトとし、１Ｐａｃｋが１セクタ分に相当する。すなわち、ＧＯＰの境界とセクタ境界とは必ず一致する。
【００１７】
つぎに、動画関連ファイルに関して詳細を説明する。図８は本実施形態における動画管理ファイルの構造で、一般情報、サムネイル情報、関連ファイル情報から構成される。一般情報には、動画ファイルの属性やサイズ、作成日時や再生時間、Ｃｏｄｅｃ情報といった通常の動画関連情報が含まれる。サムネイル情報には、複数のサムネイルに対して、サムネイルファイル名と動画データ内の位置を対応づけるテーブルが格納されている。関連ファイル情報は、管理する動画データと、関連ファイル群のファイル名が格納され、動画データと関連ファイル群の関連付けが行われる。
【００１８】
図９は本実施形態におけるタイムマップ情報ファイルの構造で、ＧＯＰ情報と時間情報から構成される。タイムマップ情報とは、ストリーム先頭からの再生時間（たとえば秒）とデータサイズ（たとえばバイト）との変換テーブルで、ストリームの途中から再生する場合や特殊再生等で使用される。ＧＯＰ情報は動画データに含まれるすべてのＧＯＰに関して、再生時間（フレーム）、サイズ（バイト）、Ｉピクチャーサイズ（バイト）を記述したテーブルである。時間情報とは一定の間隔（たとえば１０秒）毎に、対応するＧＯＰ番号とフレーム番号、動画データ先頭からＧＯＰ先頭までの位置（バイト）が記述されたテーブルである。このＧＯＰ情報と時間情報を用いれば、動画データ先頭からの再生時間をバイト位置に変換できる。
【００１９】
図１０は本実施形態におけるプレイリストファイルの構造で、動画データを再生するときに、実際に再生する部分を示す。プレイリストファイル内は、再生部分毎にその開始時間と終了時間が記述されており、フレーム単位の指定が可能となっている。なお、時間の指定方法は、時間情報のみでもいいし、時間（秒）とフレーム数の組でもよい。本実施形態においては時間情報のみを用いることとして説明する。
【００２０】
その他、サムネイルファイルはＤＣＦ規格に準拠したＪＰＥＧサムネイルファイルが用いられ、カメラデータや作成者情報等が含まれたメタデータファイルはＭＰＥＧ７規格に準拠した構造のものが用いられる。
【００２１】
続いて、実際にフレーム単位の編集を行う場合の具体的な例を説明する。
【００２２】
図１は本実施形態におけるフレーム単位の編集例で部分削除を行った場合を示している。図７で示したように、動画データはＧＯＰと呼ばれる単位で構成される。図示の場合、編集前の動画データは１０秒分の長さを持ち、ＧＯＰが２０個で構成される。またファイルサイズは１０２４００００バイトであり、編集前の動画データのファイルシステム情報は図２のようになる。すなわち、セクタ番号１００から１０２４００００バイト（１０秒分のデータ）が連続して記録されていることを示している。
【００２３】
今、ユーザーから、図１中の削除開始点（先頭から１．３秒の位置）から、削除終了点（先頭から９．２秒の位置）までのデータを削除するように指定された場合、すなわち、削除開始点や削除終了点がＧＯＰの途中である場合、削除開始点を含むＧＯＰ直後のＧＯＰ（図示では４番目のＧＯＰ）から、削除終了点を含むＧＯＰ直前のＧＯＰ（例では１８番目のＧＯＰ）までを削除する。これはＧＯＰ途中のフレームを再生するには、ＧＯＰ先頭のＩフレームが必ず必要であり、また再生フレーム前後のフレームが必要になる場合もあるからである。実際の削除は動画データ自体を書き換える必要はなく、ファイルシステム情報（ファイル管理情報とも言う）のみを更新すればよい。これは図７で示したように、ＧＯＰを構成するＰａｃｋのサイズが２０４８バイトで、本実施形態におけるファイルシステムのセクタサイズと一致しているために、ＧＯＰの境界は必ずセクタ境界と一致するためである。こうして実編集された動画データのファイルシステム情報は図３に示すように、２つの領域に分断される。前半部分はセクタ番号１００から１５３６００００バイト（１．５秒分のデータ）のデータが示されており、後半部分はセクタ番号４６００から１０２４０００バイト（１．０秒分のデータ）のデータを示している。すなわち、７６８００００バイト（７．５秒分のデータ）が実際に削除されて、削除領域は他のデータで上書き可能になったことがわかる。
【００２４】
次に、実編集後のデータをユーザーが指定した削除開始終了点に合わせて再生するには、図１０で示したプレイリスト情報が作成される。このとき、編集当初は１０秒分あったデータが、部分削除後は２．５５秒のデータになっているので、時間の指定も実編集後のデータに対して行わなければならない。図４に実編集後の動画データを再生するための実際のプレイリスト情報を示す。再生は２つの部分に分かれており、再生開始時間と再生終了時間は、動画データの先頭から１．３秒の位置までと、１．７秒の位置から動画データ末尾（２．５秒の位置）までである。ここで、ユーザーが指定した削除終了点は編集前動画データの９．２秒の位置であるが、７．５秒分のデータが削除されたので、後半部分は開始位置が１．７秒になっていることに注意されたい。このプレイリスト情報に基づいて実編集後の動画データを再生すれば、ユーザーが意図した通りの部分を削除したことになる。
【００２５】
最後に、動画データの途中を削除したことにともない、関連ファイルの必要な部分を更新する。すわわち、削除部分から作成されたサムネイルは削除し、削除部分に関するメタデータ情報も削除し、タイムマップテーブルは書き換える。動画管理ファイルも必要なら更新する。
【００２６】
図１１は、上記処理をまとめたフレーム単位編集処理のフローチャートであって、図１４のＣＰＵ１０１によって処理されるものである。
【００２７】
先ず、ステップＳ１において、操作部１２からの操作による、所望とする動画像ファイルを指定、及び、その削除する開始位置と終了位置との指定が検出されると、ステップＳ２に進み、削除開始位置で指定されたＧＯＰの直後のＧＯＰから、削除終了位置で指定されたＧＯＰの直前のＧＯＰまでを、ファイルシステムの管理情報を更新することで削除する。尚、削除対象のＧＯＰを記憶していたセクタは、新に書き込み可能に解放する。以上のようにして、削除開始と終了位置の間の粗い中間位置データの削除が行われる。
【００２８】
次いで、ステップＳ３に進み、実際に指定された削除開始位置と終了位置に従い、プレイリストを作成する。より詳しくは、ファイル先頭から削除開始位置のフレームの直前のフレームまでを再生した後、削除終了位置の直後のフレームからファイル末尾までを再生するためのプレイリストを作成する。
【００２９】
そして、ステップＳ４に進み、削除したことによる関連ファイル（削除区間荷含まれていたサムネイル画像等）を更新する。
【００３０】
なお、削除開始位置がＧＯＰの最初に再生されるフレームである場合にはそのＧＯＰから削除することになるし、削除終了位置がＧＯＰの最後に再生されるフレームであるにもそのＧＯＰまでを削除すれば良い。
【００３１】
＜第２の実施形態＞
次に、第２の実施形態として、タイムマップ情報とプレイリスト情報を、動画管理ファイルに含めた場合の例を示す。この場合、ディレクトリ構造は図１２に示すようになる。図６と比較するとタイムマップ情報とプレイリスト情報がなく、動画データ本体以外は、動画管理ファイル（．ｉｎｆ）、サムネイルファイル（．ｔｈｍ）、メタデータファイル（．ｍｐ７）のみになる。
【００３２】
また、動画管理ファイルの構造は、図１３に示すように、図８の動画管理ファイルに、図９のタイムマップ情報と図１０のプレイリスト情報を付加した構造になるが、関連ファイル情報内のタイムマップ情報ファイルとプレイリストファイルへのリンク情報は必要ないので存在しない。その他、実際のフレーム単位の編集方法等は、実施形態１の場合と同様である。
【００３３】
以上実施形態を説明したが、上記実施形態の機能を実現手段は、その殆どがソフトウェアでもって実現できるのは明らかである。すなわち、本発明はコンピュータプログラムをその範疇とする。また、通常、コンピュータプログラムは、ＣＤＲＯＭ等のコンピュータ可読記憶媒体に記憶され、コンピュータにセットしてシステムにコピーもしくはインストールすることで実行可能となるものであるから、本発明はかかるコンピュータ可読記憶媒体をもその範疇とすることは明らかである。
【００３４】
以上説明したように本実施形態によれば、ディスク媒体上に動画データが記録された動画データ記録再生装置において、フレーム単位の実編集を行う場合に、実編集では動画データ自体は変更せずに、ファイルシステムを更新するのみでＧＯＰ単位の編集を行い、再生はユーザーが指定した範囲をフレーム単位でプレイリスト情報により再生する。これにより、再エンコードを行うことなく、ファイルシステムの更新とプレイリストを作成するだけで、フレーム単位の実編集が可能となる効果がある。
【００３５】
【発明の効果】
以上説明したように本発明によれば、ランダムアクセス可能な記憶媒体に記憶された動画像中の途中部分の削除要求があったとき、削除要求されたデータを実質的に削除すると共に、削除要求のあった部分についてフレーム単位の精度で再生対象から除外することが可能となる。
【図面の簡単な説明】
【図１】本実施形態におけるフレーム単位の編集処理を説明するための図である。
【図２】編集前の動画データのファイルシステム情報を示す図である。
【図３】実編集後の動画データのファイルシステム情報を示す図である。
【図４】実編集後の動画データ再生時のプレイリスト情報を示す図である。
【図５】実施形態における記憶媒体とその読み書き処理部との関係を示す構成概略図である。
【図６】本実施形態におけるディレクトリ構造を示す図である。
【図７】本実施形態における動画データの構造を示す図である。
【図８】本実施形態における動画管理ファイルの構造を示す図である。
【図９】本実施形態におけるタイムマップ情報ファイルの構造を示す図である。
【図１０】本実施形態におけるプレイリストファイルの構造の構造を示す図である。
【図１１】本実施形態におけるフレーム単位編集処理手順を示すフローチャートである。
【図１２】他の実施形態におけるディレクトリ構造を示す図である。
【図１３】他の実施形態における動画管理ファイルの構造を示す図である。
【図１４】実施形態における映像・音声信号編集装置のブロック構成図である。
【図１】
2005033383.tif 000003
【図２】
2005033383.tif 000004
【図３】
2005033383.tif 000005
【図４】
2005033383.tif 000006
【図５】
2005033383.tif 000007
【図６】
2005033383.tif 000008
【図７】
2005033383.tif 000009
【図８】
2005033383.tif 000010
【図９】
2005033383.tif 000011
【図１０】
2005033383.tif 000012
【図１１】
2005033383.tif 000013
【図１２】
2005033383.tif 000014
【図１３】
2005033383.tif 000015
【図１４】
2005033383.tif 000016